【手続補正書】
【提出日】平成15年10月30日(2003.10.30)
【手続補正１】
【補正対象書類名】明細書
【補正対象項目名】特許請求の範囲
【補正方法】変更
【補正の内容】
【特許請求の範囲】
【請求項１】
可変表示遊技を行う可変表示装置と、
遊技系統の制御を行う役物制御回路と、
前記役物制御回路と前記可変表示装置とを電気的に接続するための中継基盤と、
前記中継基盤を前記可変表示装置の後端部に取り付けるための中継基盤取付部材と、
を備えた遊技機において、
前記中継基盤は、
前記役物制御回路と前記可変表示装置とに電気的に接続された主中継基盤と、
前記主中継基盤に電気的に接続され、前記役物制御回路から送出される信号を一方向に規制する不可逆性処理手段を備えた中間接続中継基盤と、
前記中間接続中継基盤に電気的に接続され、外部の管理装置に接続されるための外部接続端子を備えた外部接続端子中継基盤とに、
それぞれ分かれた別個の基盤により構成され、
前記可変表示装置は、該可変表示装置の後端部に取付支柱が設けられ、
前記中継基板取付部材は、
透明な合成樹脂により底部と側面部が構成されて後方が開口した有底箱型形状に形成され、前記底部には位置決め支柱が、前記側面部には止板が、それぞれ設けられ、
前記可変表示装置の取付支柱に前記中継基盤取付部材が、前記可変表示装置の後端部と所定間隔隔てた状態で取り付けられる共に、前記主中継基盤、前記中間接続中継基盤及び前記外部接続端子中継基盤が、前記位置決め支柱と前記止板とで挟まれた状態で、前記底部に対し所定間隔隔てて取り付けられていることを特徴とする遊技機。
【手続補正２】
【補正対象書類名】明細書
【補正対象項目名】０００５
【補正方法】変更
【補正の内容】
【０００５】
【課題を解決するための手段】
上記課題を解決するため、可変表示遊技を行う可変表示装置と、
遊技系統の制御を行う役物制御回路と、
前記役物制御回路と前記可変表示装置とを電気的に接続するための中継基盤と、
前記中継基盤を前記可変表示装置の後端部に取り付けるための中継基盤取付部材と、
を備えた遊技機において、
前記中継基盤は、
前記役物制御回路と前記可変表示装置とに電気的に接続された主中継基盤と、
前記主中継基盤に電気的に接続され、前記役物制御回路から送出される信号を一方向に規制する不可逆性処理手段を備えた中間接続中継基盤と、
前記中間接続中継基盤に電気的に接続され、外部の管理装置に接続されるための外部接続端子を備えた外部接続端子中継基盤とに、
それぞれ分かれた別個の基盤により構成され、
前記可変表示装置は、該可変表示装置の後端部に取付支柱が設けられ、
前記中継基板取付部材は、
透明な合成樹脂により底部と側面部が構成されて後方が開口した有底箱型形状に形成され、前記底部には位置決め支柱が、前記側面部には止板が、それぞれ設けられ、
前記可変表示装置の取付支柱に前記中継基盤取付部材が、前記可変表示装置の後端部と所定間隔隔てた状態で取り付けられる共に、前記主中継基盤、前記中間接続中継基盤及び前記外部接続端子中継基盤が、前記位置決め支柱と前記止板とで挟まれた状態で、前記底部に対し所定間隔隔てて取り付けられていることを特徴としている。
【手続補正３】
【補正対象書類名】明細書
【補正対象項目名】０００６
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００２２
【補正方法】変更
【補正の内容】
【００２２】
遊技盤１の裏側には、その中央開口部を避けた状態で入賞球を集合させて前記セーフユニット２０７に導くための上部入賞処理部材２０８ａ及び下部入賞処理部材２０８ｂが取り付けられている。また、この遊技盤１の中央開口部（図に現れない）には、図３に示すように、特図の可変表示装置４がその後端部４ｅを後方に突出させた状態に設置され、該可変表示装置４の後端部４ｅの左側には主中継基盤３１が、右側上段部には外部接続端子中継基盤３２が、右側下段部には中間接続中継基盤３３が、それぞれ配設されている。また、遊技盤１の背面部左側には、役物制御回路２２０が設置されている。


【手続補正７】
【補正対象書類名】明細書
【補正対象項目名】００２４
【補正方法】変更
【補正の内容】
【００２４】
また、可変表示装置４は、図４に示すように、その前端部４ｄが、遊技盤１のほぼ中央に設けられ開口部１ｂ中に挿入された遊技盤前面装着部材７０により内周面を覆われた窓部７１の後端側に臨まされる一方、その後端部４ｅには、中継基盤取付部材３５を介して、主中継基盤３１、外部接続端子中継基盤３２及び中間接続中継基盤３３が取り付けられている。
可変表示装置４の後端部４ｅには、中継基盤取付部材３５を所定間隔隔てて上記可変表示装置４に固定するための取付支柱１６０ｃ，…が設けられ、両側面部４ｆ，４ｆには取付孔４ｃ，…を有する取付部４ｂ，４ｂがそれぞれ設けられている。
そして、この可変表示装置４が、図４に示すように、それら取付部４ｂ，４ｂの取付孔４ｃ，４ｃから上部入賞処理部材２０８ａに突設された取付支柱６０，…に向けてビス６０ａ，…を通して上部入賞処理部材２０８ａに固定されている。


【手続補正８】
【補正対象書類名】明細書
【補正対象項目名】００２８
【補正方法】変更
【補正の内容】
【００２８】
主中継基盤３１は、図５に示すように、役物制御回路２２０と電気的接続するためのコネクタ１７５ｂ、及び、中間接続中継基盤３３と電気的接続するためのコネクタ１７１ｃが配設されるとともに、遊技盤１に配設される特図始動口（普通変動入賞装置）９、特図始動口９中の特図始動入賞検出器（図示省略）、特別変動入賞装置５、普図始動ゲート６，６中の普図始動検出器（図示省略）、サイドランプ１２，…などの各種検出センサ及び各種発光表示ランプ等と電気的接続するためのコネクタ１８１ｂ，…などが配設され、外部の管理装置（図示省略）へ役物制御回路２２０から送信される各種データ（例えば、大当り、可変表示の回転数、大当り発生確率の確率変動など）の中継を行うとともに、役物制御回路２２０と各種発光表示ランプ及び各種検出センサ等との信号の遣り取りの中継を行う。


【手続補正９】
【補正対象書類名】明細書
【補正対象項目名】００２９
【補正方法】変更
【補正の内容】
【００２９】
外部接続端子中継基盤３２は、中間接続中継基盤３３と電気的接続するためのコネクタ１７２ｂ、管理装置と電気的接続するための外部接続端子１７４，…などが配設され、外部の管理装置（図示省略）へ役物制御回路２２０から送信される各種データ（例えば、大当り、回転数、確率変動など）の中継を行う。


【手続補正１０】
【補正対象書類名】明細書
【補正対象項目名】００３０
【補正方法】変更
【補正の内容】
【００３０】
中間接続中継基盤３３は、外部接続端子中継基盤３２と電気的接続するためのコネクタ１７２ｃ、主中継基盤３１と電気的接続するためのコネクタ１７１ｂ、リレースイッチ１７３，１７３，１７３等が配設され、外部の管理装置（図示省略）へ役物制御回路２２０から送信される各種データ（例えば、大当り、回転数、確率変動など）の中継を行うとともに、リレースイッチ１７３，１７３，１７３により信号の流れを一方向に規制し、ノイズや不正行為などにより生じた信号が反対方向に通過するのを阻止するようになっている。


【手続補正１１】
【補正対象書類名】明細書
【補正対象項目名】００３６
【補正方法】変更
【補正の内容】
【００３６】
【発明の効果】
請求項１記載の発明によれば、中継基盤が、外部接続端子中継基盤と主中継基盤と中間接続中継基盤とに、それぞれ分かれた別個の基盤として構成されているため、遊技盤の交換時や寿命切れ時等の際に、必要に応じて、外部接続端子中継基盤、主中継基盤及び中間接続中継基盤をそれぞれ独立に交換することが可能となる。例えば、外部接続端子中継基盤、主中継基盤或いは中間接続中継基盤の何れかに故障が発生した場合や、遊技盤の交換によって機能に変更が生じたときなどに、必要な基盤だけを交換し、残った基盤を継続して使用することが可能となり、基盤の交換に伴うコストを低減することが可能となる。
【手続補正１２】
【補正対象書類名】明細書
【補正対象項目名】００３７
【補正方法】変更
【補正の内容】
【００３７】
また、可変表示装置と中継基盤取付部材との間と、中継基盤取付部材と主中継基盤、外部接続端子中継基盤及び中間接続中継基盤との間に、それぞれ所定のスペースが保たれているので、可変表示装置の後端部と中継基盤取付部材との間のスペースと透明な中継基盤取付部材とを介して、主中継基盤、外部接続端子中継基盤及び中間接続中継基盤の裏面側を覗き見ることにより、それら基盤の裏側の異常、例えば、不正な改造などを発見し易くなる。